(57)【要約】【課題】外観を損なうことなくトッププレートの色や色調の多様化を図る。【解決手段】加熱調理器は、トッププレート７と、前記トッププレート７の下方部に配置された誘導加熱コイル及びラジエントヒータとを備えて構成されている。トッププレート７は、耐熱性を有する透明ガラスの下面にチタン系の金属材料からなる光透過薄膜１５が形成されて構成されている。トッププレート７には、前記誘導加熱コイル３，４及びラジエントヒータ５の出力を表示するための表示部が設けられている。表示部は、それぞれトッププレート７の下方部に配置されたＬＥＤの点灯により各加熱手段の出力状態を表示する。【選択図】図２
2008091346.tif 000002
【特許請求の範囲】
【請求項１】
誘導加熱コイルを有する誘導加熱手段と、
前記誘導加熱手段の上方部に設けられ被加熱物が載置されるガラス製のトッププレートと、
前記トッププレートに設けられ前記誘導加熱手段の動作状態を表示する発光表示部とを備え、
前記発光表示部は前記トッププレートの下方部に配置された発光素子を備えて構成されていると共に、前記トッププレートのうち少なくとも前記誘導加熱コイル及び前記発光素子と対応する部分には、半導体、金属、金属酸化物のいずれかからなり前記トッププレートの上方から前記発光素子の発光を視認できるように当該発光素子からの光線を他の可視光線に比べて多く透過させる特性の光透過薄膜が成膜されていることを特徴とする誘導加熱調理器。
【請求項２】
発光素子は、誘導加熱コイルの近傍に配置されていることを特徴とする請求項１記載の誘導加熱調理器。
【請求項３】
誘導加熱手段は、誘導加熱コイルと、この誘導加熱コイルの近傍に配置される防磁リングにより構成されていることを特徴とする請求項１または請求項２に記載の誘導加熱調理器。
【請求項４】
トッププレートの下方部に配置され発光素子の発光とは異なる光波長領域の光を放出する光放出手段を備え、
前記トッププレートのうち前記光放出手段に対応する領域は光透過薄膜を抜くことにより構成された透過開口部が設けられていることを特徴とする請求項１ないし３の何れかに記載の誘導加熱調理器。
【請求項５】
透過開口部には、光放出手段が放出する光をトッププレートの上方から視認できるような光透過特性を有する半透明膜が成膜されていることを特徴とする請求項４記載の誘導加熱調理器。
【請求項６】
半透明膜は、その周縁部を光透過薄膜にラップして成膜されていることを特徴とする請求項５記載の誘導加熱調理器。
【請求項７】
光放出手段は、発光素子とその周囲に配置される筒状の遮光部とから構成され、
この遮光部は、トッププレートの下面付近まで延びていることを特徴とする請求項４ないし６の何れかに記載の誘導加熱調理器。
【請求項８】
トッププレートの下方部に配置され自身が発熱する発熱手段を備え、
前記トッププレートのうち前記発熱手段の上方に位置する領域は、その全部或いは一部の光透過薄膜を抜くことにより構成された放熱開口部が設けられていることを特徴とする請求項１記載の誘導加熱調理器。
【請求項９】
放熱開口部には、耐熱塗装膜が設けられていることを特徴とする請求項８記載の誘導加熱調理器。
【請求項１０】
発熱手段は、上面開口の耐熱性容器たるベースに配置され、
耐熱塗装膜は、その周縁部を光透過薄膜にラップして成膜され、
前記ベースの上端面は、前記ラップする部分に位置させることを特徴とする請求項９記載の誘導加熱調理器。
【請求項１１】
トッププレートのうち光透過薄膜が成膜される面に設けられ当該光透過薄膜が成膜される前の前記トッププレートに印刷してなる印刷表示部を備えることを特徴とする請求項１記載の誘導加熱調理器。
【発明の詳細な説明】
【技術分野】
【０００１】
本発明は、誘導加熱手段の上方部に設けられ被加熱物が載置されるトッププレートを有する誘導加熱調理器に関する。
【背景技術】
【０００２】
誘導加熱調理器は、トッププレートの下方部に誘導加熱コイル及び前記誘導加熱コイルに高周波電流を供給するインバータからなる誘導加熱手段が配置されている。また、ニクロム線コイル（ラジエントヒータ）等の加熱手段を備えたものもある。前記加熱手段がトッププレートを通して外部から見えると外観を損なうため、従来の誘導加熱調理器では、白色セラミックガラスや、耐熱性を有する塗料を下面に塗布した透明ガラスからトッププレートを構成している（例えば、特許文献１参照）。
【特許文献１】特公平６−４２３８９号公報
【発明の開示】
【発明が解決しようとする課題】
【０００３】
ところで、近年、加熱手段の出力状態を容易に確認できるように、トッププレートに表示部が設けられた誘導加熱調理器が提供されている。前記表示部は、トッププレートの下方部に設けられた複数の発光ダイオードを点灯させることで加熱手段の出力状態を表示させるようになっている。
【０００４】
ところが、上記した従来の加熱調理器のように、白色セラミックガラスや耐熱性塗料が塗布された透明ガラスからなるトッププレートは発光ダイオードが放射する光を透過させない。
【０００５】
このため、透明ガラスに塗料を塗布してなるトッププレートの場合は、表示部に対応する部分の塗装を抜いて発光ダイオードの光を透過させていた。ところが、トッププレートの一部の塗装を抜くと、発光ダイオードが光っていない場合でも発光部（発光ダイオードの構成部品）が見えてしまい外観が損なわれる。また、発光ダイオードの光漏れや外部からの光によってトッププレートの下方の様子が見えてしまう。特に、自身が発熱しない誘導加熱コイルでは、加熱の様子を明確にするために表示部を前記誘導加熱コイルの近傍に配置することが行われている。このため、表示部に対応する部分の塗装を抜くと、誘導加熱コイルが見えてしまい外観が損なわれる。
【０００６】
これに対して、発光ダイオードを赤色発光ダイオードから構成すると共に、赤色付近よりも長い波長の光は透過させるが可視光は概ね遮断するという特性の有色ガラスからトッププレートを構成することも行われている。上記構成では、トッププレートの内部の様子が見え難くなる。
【０００７】
ところが、特定の波長のみを透過させるという特性を有する有色ガラスは、その色や色調が限定される。特に、近年、好まれて使用されるメタリック調の色調は有色ガラスでは得ることができない。このため、加熱調理器本体の色や色調を多様化させても、その色や色調にトッププレートを合わせることができなかった。
【０００８】
本発明は上記事情に鑑みてなされたものであり、その目的は、トッププレートに発光表示部を備えるものにおいて、外観を損なうことなくトッププレートの色や色調の多様化を図ることができる誘導加熱調理器を提供することである。
【課題を解決するための手段】
【０００９】
本発明の請求項１の誘導加熱調理器は、誘導加熱コイルを有する誘導加熱手段、前記誘導加熱手段の上方部に設けられ被加熱物が載置されるガラス製のトッププレート、前記トッププレートに設けられ前記誘導加熱手段の動作状態を表示する発光表示部を備え、前記発光表示部は前記トッププレートの下方部に配置された発光素子を備えると共に、前記トッププレートのうち少なくとも前記誘導加熱コイル及び前記発光素子と対応する部分に、半導体、金属、金属酸化物のいずれかからなり前記トッププレートの上方から前記発光素の発光を視認できるように当該発光素子からの光線を他の可視光線に比べて多く透過させる特性の光透過薄膜が成膜されていることを特徴とする。
【００１０】
誘導加熱コイルはトッププレートに近接されて配置されるため、発光素子が放射する光を透過させる有色ガラスからトッププレートを構成した場合でも、前記誘導加熱コイル及び前記発光素子がトッププレートの上方から見えることがある。上記構成によれば、発光素子が発光していない時は、トッププレートに設けられた光透過薄膜により誘導加熱コイル及び発光素子がトッププレートの上方から視認されることを確実に防止できる。しかも、光透過薄膜の厚さを調整したり、薄膜材料を選択したりすることにより多様な色目や色調のトッププレートを構成しつつ、発光素子が放射する光線を他の可視光線に比べて多く透過させることができる。
【００１１】
誘導加熱コイルは、自身が発熱しないため外部から動作状態にあるか否かが分かり難い。そこで、請求項２の誘導加熱調理器のように、前記発光素子を前記誘導加熱コイルの近傍に配置すると、前記発光素子の点灯状態から前記誘導加熱コイルの動作状態を簡単に把握することができる。
また、誘導加熱手段は、誘導加熱コイルと、この誘導加熱コイルの近傍に配置される防磁リングにより構成するとよい（請求項３の発明）。
【００１２】
また、本発明の請求項４の誘導加熱調理器は、トッププレートの下方部に配置され発光表示部の発光とは異なる光波長領域の光を放出する光放出手段を備え、前記トッププレートのうち前記光放出手段に対応する領域は光透過薄膜を抜くことにより構成された透過開口部を設けたことを特徴とする。
【００１３】
上記構成によれば、例えば発光表示部とは異なる機能の表示部を設ける場合に前記発光素子とは異なる光波長領域の光を放出する光放出手段から前記表示部を構成することができる。
【００１４】
この場合、前記透過開口部に光放出手段が放出する光を前記トッププレートの上方から視認できるような光透過特性を有する半透明膜が成膜されていることを特徴とする（請求項５の発明）。上記構成によれば、透過開口部を通して発光素子の発光部やトッププレートの内部の様子が見えることを防止できる。
さらに、半透明膜は、その周縁部を光透過薄膜にラップして成膜するとよい（請求項６の発明）。
また、光放出手段は、発光素子とその周囲に配置される筒状の遮光部とから構成され、この遮光部は、トッププレートの下面付近まで延びている構成とするとよい（請求項７の発明）。
【００１５】
ところで、トッププレートの下方部にラジエントヒータのような発熱手段が配置されている場合、光透過薄膜が熱で変色するおそれがある。また、光透過薄膜は赤外線を反射するため、発熱手段の周囲に熱が篭り、発熱手段の温度が過剰に上昇したり発熱手段の加熱効率が低下したりする。
【００１６】
本発明の請求項８の誘導加熱調理器は、上記不具合を解消するものであり、発熱手段を備える場合には、前記トッププレートのうち前記発熱手段の上方に位置する領域の全部或いは一部の光透過薄膜を抜くことにより放熱開口部を構成している。
【００１７】
この場合、前記放熱開口部に耐熱塗装膜を設けることにより、前記放熱開口部を通して発熱手段が外部から見えることを防止することができる（請求項９の発明）。
さらに、発熱手段は、上面開口の耐熱性容器たるベースに配置され、耐熱塗装膜は、その周縁部を光透過薄膜にラップして成膜され、前記ベースの上端面は、前記ラップする部分に位置させる構成とするとよい（請求項１０の発明）。
【００１８】
また、本発明の請求項１１の誘導加熱調理器は、トッププレートのうち光透過薄膜が成膜される面に設けられ当該光透過薄膜が成膜される前の前記トッププレートに印刷してなる印刷表示部を備えることを特徴とする。
【００１９】
トッププレートの下面に光透過薄膜を成膜した場合にトッププレートの上面に印刷表示部を設けると、光透過薄膜が鏡面となり印刷表示部が映ってしまう。すると、前記印刷表示部と薄膜に映った表示部とが重なって見えるため、表示部が見難くなる。上記構成によれば、印刷表示部が光透過薄膜に映ることがない。
【発明の効果】
【００２０】
本発明は以上の説明から明らかなように、ガラス製のトッププレートの下面に光透過薄膜を成膜したので、前記光透過薄膜の材料や厚み寸法を適宜に設定することにより前記トッププレートの下方部に設けられた発光素子が放射する光を透過させることができ、しかも、トッププレートの色調や色彩を変化させることができる。従って、前記発光素子からなる発光表示部をトッププレートに設けるために当該トッププレートの一部を透明にする必要がなく、トッププレートの外観性の向上を図ることができる。
【発明を実施するための最良の形態】
【００２１】
以下、本発明をシステムキッチンに組み込まれる誘導加熱調理器に適用した第１の実施例について図１ないし図５を参照しながら説明する。図１及び図２は本実施例に係る加熱調理器の全体構成を示すものである。これら図１及び図２において、加熱調理器本体１は、調理台２に対して上部から嵌め込まれる上ユニット１ａと、上ユニット１ａの下方部に位置し前記調理台２に対して前方から嵌め込まれる下ユニット１ｂとから構成されている。
【００２２】
上ユニット１ａは、３個の加熱手段（誘導加熱コイル３，４及びラジエントヒータ５）を収容する薄形矩形箱状のケース６（いずれも図３参照）と、このケース６の上面開口部を塞ぐように設けられたトッププレート７とを備えて構成されている。
【００２３】
前記トッププレート７の上面の前部には、誘導加熱コイル３，４に対応して誘導加熱部８，９が左右に並んで設けられている。前記トッププレート７の後部中央には、ラジエントヒータ５に対応してヒータ加熱部１０が設けられている。前記加熱部８〜１０には被加熱物である鍋（図示せず）が載置されるようになっている。トッププレート７の上面には、各加熱部８〜１０の領域を確定する円形状の枠部８ａ〜１０ａやデザイン性を有する種々の枠部７ａが印刷されている。
【００２４】
前記トッププレート７のうち各誘導加熱部８，９の前部には、誘導加熱コイル３，４の出力状態を表示するコイル用出力表示部１１，１２（発光表示部に相当）が各枠部８ａ，９ａに沿って設けられている。前記コイル用出力表示部１１，１２は、後述する複数の発光素子、例えば発光ダイオード（以下、ＬＥＤ）２２を備えて構成されている。そして、トッププレート７の上面のうち前記ＬＥＤ２２に対応する部分には、誘導加熱コイル３，４の出力の大きさを表す数字や天ぷら調理時における油の温度を表す数字が印刷されている。
【００２５】
また、トッププレート７の前部の中央部には、ラジエントヒータ５の出力状態を表示するヒータ用出力表示部１３が設けられている。前記ヒータ用出力表示部１３は、後述する複数の発光素子、例えば発光ダイオード（以下、ＬＥＤ）２６を備えて構成されている。そして、トッププレート７の上面には前記ＬＥＤ２６の配置領域を確定する枠部１３ａが印刷されている。
【００２６】
更に、トッププレート７の右後部には、操作上の注意点等を表示する注意表示部１４が設けられている。前記注意表示部１４は、文字１４ａや文字１４ａを囲む枠１４ｂ等から構成されている。
【００２７】
前記トッププレート７は、耐熱性を有する透明ガラス板の下面にチタン等の金属系材料をスパッタ法により成膜してなる光透過薄膜１５を設けて構成されている。光透過薄膜１５の厚みは数百ｎｍに設定されており、これによりトッププレート７は赤色付近以上の波長をその他の可視光に比べてより良く透過させるようになっている。上記構成により、トッププレート７はメタリック系の色調として観察される。
【００２８】
図２及び図４に示すように、前記薄膜１５は、トッププレート７の下面のうち前記ヒータ加熱部１０の下面を除く略全体に形成されている。従って、本実施例では、前記ヒータ加熱部１０が放熱開口部に相当する。そして、前記トッププレート７のうち前記ヒータ加熱部１０の下面には、耐熱塗装膜１６が設けられている。前記塗装膜１６は光透過薄膜１５に近似した色や色調のものが採用されている。
【００２９】
前記塗装膜１６は、その周縁部が薄膜１５とラップするようにトッププレート７の下面に塗布されている（以下、塗装膜１６と薄膜１５とがラップする部分をラップ部１７と称する）。
【００３０】
また、図５に示すように、注意表示部１４の文字１４ａや枠１４ｂ等はトッププレート７の下面に印刷されている。つまり、前記注意表示部１４は印刷表示部に相当する。本実施例では、トッププレート７の下面に注意表示部１４を印刷した後、光透過薄膜１５が成膜されるようになっている。
【００３１】
一方、図３に示すように、ケース６内のうち前記誘導加熱部８，９及びヒータ加熱部１０の下方部には、それぞれ前記誘導加熱コイル３，４、ラジエントヒータ５が配置されている。前記ラジエントヒータ５は、ニクロム線に直流電流を通電することにより発熱するものであり、発熱手段として機能する。また、前記ケース６内の後部右側には冷却ファン装置１８が配設されている。
【００３２】
前記誘導加熱コイル３，４の近傍には、いずれも防磁リング１９ａが配置されている。前記誘導加熱コイル３，４の中央部には温度センサ１９ｂが配置されている。また、ケース６内のうち前記誘導加熱コイル４の下方部には前記加熱コイル３，４に高周波電流を供給するインバータ１９ｃが設けられている。前記誘導加熱コイル３，４、インバータ１９ｃ、防磁リング１９ａ、温度センサ１９ｂ等から誘導加熱組立１９（誘導加熱手段に相当）が構成される。
【００３３】
誘導加熱組立１９は、誘導加熱コイル３，４がそれぞれトッププレート７の下面に近接した状態で誘導加熱部８，９の下方部に位置するようにケース６内にネジ止めされている。そして、誘導加熱組立１９の外周部の前半部には基板取付部材２０がねじ止めされている。前記基板取付部材２０にはプリント基板２１が取り付けられている。前記プリント基板２１には複数の前記ＬＥＤ２２が実装されている。基板取付部材２０、プリント基板２１、ＬＥＤ２２は、前記コイル用出力表示部１１，１２を構成する。
【００３４】
前記ラジエントヒータ５は、ケース６内に固定され上面が開口する円形状の断熱性容器たるベース２３内の底部に配置されている。前記ベース２３は支持枠２４を介してケース６の底部にねじ止めされている。前記ベース２３の上端面は、トッププレート７の下面のうち薄膜１５と塗装膜１６とのラップ部１７に当接されている（図４参照）。そして、図３に示すように、ケース６内の前部の中央部にはプリント基板２５が配置されている。前記プリント基板２５には複数のＬＥＤ２６が実装されている。プリント基板２５及びＬＥＤ２６はヒータ用出力表示部１３を構成する。
【００３５】
前記ＬＥＤ２２，２６は、いずれも波長が６００〜６５０ｎｍ程度の赤色光を放射するように構成されている。これにより、前記ＬＥＤ２２，２６が放射する光の一部（約１０％）は、いずれもトッププレート７を透過し、トッププレート７の上部から視認可能となっている。
【００３６】
尚、図２に示すように、下ユニット１ｂは、キャビネット２７内の左部に設けられたロースタ２８、前記ロースタ２８の前面扉２８ａの右部に設けられた操作パネル２９を備えて構成されている。前記ロースタ２８は図示しないシーズヒータを熱源とする。前記操作パネル２９には、電源スイッチ３０や、前記誘導加熱コイル３，４、ラジエントヒータ５、ロースタ２８のシーズヒータをオン・オフしたり出力を調整したりするためのダイヤル３１〜３４が設けられている。詳しい説明及び図示は省略するが、前記ダイヤル３１〜３４はいずれも回転型のロータリーエンコーダ及びプッシュ−プッシュ式のスイッチを有するスイッチ機構に連結されている。
【００３７】
上記構成においては、電源スイッチ３０をＯＮ操作し、前記ダイヤル３１〜３３を押圧操作することにより各加熱手段はオン・オフされ、前記ダイヤル３１〜３３を回動操作することにより各加熱手段の出力が調整される。例えば、誘導加熱コイル３を用いて調理する場合には、誘導加熱部８に鍋を置き、ダイヤル３１を押圧操作する。すると、誘導加熱コイル３は最大出力で通電され、誘導加熱コイル３用のＬＥＤ２２が全て点灯する。この状態で、ダイヤル３１を回動操作することにより誘導加熱コイル３の出力が調整されると共にその出力状態に応じた数のＬＥＤ２２が点灯する。
【００３８】
点灯したＬＥＤ２２が放射する光はトッププレート７を透過する。従って、使用者はトッププレート７の上方から点灯状態にあるＬＥＤ２２の数を見て、或いは点灯状態にあるＬＥＤ２２の近傍に印刷された数字を見て誘導加熱コイル３の出力状態を確認できる。特に、本実施例では、ＬＥＤ２２を誘導加熱コイル３に近接して設けた。従って、動作状態にある加熱コイル３自身は発熱しないが、ＬＥＤ２２の点灯状態を見て加熱コイル３が動作状態にあることを把握することができる。
【００３９】
このように、本実施例では透明ガラスの下面に光透過薄膜１５を成膜することによりトッププレート７を構成した。従って、光透過薄膜１５の厚み寸法を適宜に調整することにより、ＬＥＤ２２，２６の放射する光を透過させることができる。このため、ＬＥＤ２２，２６の光を透過させるために、トッププレート７の光透過薄膜１５を抜く必要が無い。また、光透過薄膜１５が成膜された透明ガラスの色調や色彩は、その光透過薄膜１５の厚み寸法や成膜材料により種々異ならせることができる。従って、トッププレート７の色の多様化を図ることができる。
【００４０】
また、本実施例では注意表示部１４の文字１４ａ等をトッププレート７の下面に印刷し、その上から光透過薄膜１５を成膜した。従って、注意表示部１４の文字１４ａ等と光透過薄膜１５とが近接し、前記文字１４ａ等が光透過薄膜１５に映って見難くなるという不具合がない。
【００４１】
更に、本実施例では、トッププレート７のうちヒータ加熱部１０の下面の領域には光透過薄膜１５を成膜せずに塗装膜１６を施した。従って、外部からラジエントヒータ５が見えることがなく、しかも、ラジエントヒータ５が発する赤外線が光透過薄膜１５に反射されてベース２３内に熱が篭って前記ヒータ５が過度に温度上昇したり、加熱効率が低下したりすることを防止できる。
【００４２】
また、塗装膜１６の周縁部を光透過薄膜１５とラップさせた。このため、トッププレート７の下面に塗装膜１６及び光透過薄膜１５のいずれもが施されていない部分が生じることがない。
【００４３】
ところで、通常は、塗装膜１６の周縁部を均等に光透過薄膜１５にラップさせることは難しく、単にラップさせただけでは見栄えが悪い。そこで、塗装膜１６光透過薄膜１５とのラップ部１７にベース２３の上端面を当接させた。従って、トッププレート７の上方からラップ部１７がはっきりと見えることによる外観性の低下を防止できる。
【００４４】
図６は本発明の第２の実施例を示すものであり、第１の実施例と異なるところを説明する。尚、第１の実施例と同一部分には同一符号を付している。この第２の実施例では、トッププレート７に設けられた光透過薄膜１５のうちヒータ加熱部１０の下面部には多数の円孔状の放熱部４１が設けられている。前記放熱部４１には、光透過薄膜が形成されていない。つまり、ヒータ加熱部１０の下面部の光透過薄膜１５は水玉模様状になっている。
【００４５】
このように、トッププレート７のうちヒータ加熱部１０の下面部の一部の光透過薄膜を抜くことによっても、ラジエントヒータ５が発する熱がベース２３内に篭ることを防止できる。
【００４６】
尚、本実施例では放熱部４１を通してラジエントヒータ５の一部が視認されてしまう。しかし、放熱部４１の一つ一つを小さくすれば、視認されるラジエントヒータ５による外観性の低下は抑えられる。
【００４７】
図７及び図８は本発明の第３の実施例を示すものであり、第１の実施例と異なるところを説明する。尚、第１の実施例と同一部分には同一符号を付している。まず、この第３の実施例では、トッププレート７に誘導加熱コイル３，４の出力状態を表示する出力表示部１１，１２及び選択された調理メニューの種類を表示するメニュー表示部５１，５２が設けられている。
【００４８】
前記出力表示部１１，１２は各誘導加熱部８，９の前部に設けられている。本実施例においては、前記出力表示部１１，１２の右半部は各枠部８ａ，９ａに沿うように、左半部はトッププレート７の前端部に沿うように配置されている。第１の実施例と同様に、前記出力表示部１１，１２は複数のＬＥＤ２２を備えて構成され、これらＬＥＤ２２の配置に合わせて出力の大きさ、程度を表す数字や文字等がトッププレート７の上面に印刷されている。
【００４９】
前記メニュー表示部５１，５２は、トッププレート７の前部の左端部及び右端部にそれぞれ設けられている。メニュー表示部５１、５２は、設定可能な調理メニューの種類に応じた例えば３個のＬＥＤ５３を備えて構成されている。前記ＬＥＤ５３は、トッププレート７の下方部に配置されたプリント基板５４に実装されている。各ＬＥＤ５３の周囲部にはプリント基板５４からトッププレート７の下面付近まで延びる筒状の遮光部５５が設けられている。そして、前記遮光部５５の上部には拡散板５６が設けられている。
【００５０】
前記ＬＥＤ５３は本発明の光放出手段に相当し、ＬＥＤ２２とは異なる波長、例えば５００〜５５０ｎｍ程度の緑色光を放射するように構成されている。従って、前記トッププレート７を殆ど透過しない。このため、本実施例では、トッププレート７のうち前記ＬＥＤ５３に対応する部分は光透過薄膜１５が成膜されていない透過開口部５７とされている。
【００５１】
本実施例では、誘導加熱コイル３，４を用いた自動調理の実行が可能に構成されており、操作パネル２９に設けられたメニュー設定キー（図示せず）を選択操作することにより例えば３種類の自動調理メニューのうちのいずれかが設定されるようになっている。
【００５２】
例えば誘導加熱コイル３を用いた自動調理を行うことが設定されると、メニュー表示部５１の対応するＬＥＤ５３が点灯すると共に出力表示部１１のＬＥＤ２２が誘導加熱コイル３の出力状態に応じた数だけ点灯する。このとき、ＬＥＤ２２が放射する光は光透過薄膜１５が成膜されたトッププレート７を透過する。また、ＬＥＤ５３が放射する光は拡散板５６及び透過開口部５７を透過する。このため、使用者はトッププレート７の上からＬＥＤ２２，５３が点灯していることを確認することができる。
【００５３】
特に、本実施例では、出力表示部１１〜１３を構成するＬＥＤ２２が放射する光の波長領域と、メニュー表示部５１を構成するＬＥＤ５３の光波長領域とを異ならせたため、各表示部の機能の違いを明確にすることができる。
【００５４】
また、本実施例では、ＬＥＤ５３を遮光部５５で囲んだ。このため、透過開口部５７を通してトッププレート７の内部の様子が見えてしまうことがない。
図９は本発明の第４の実施例を示すものであり、第３の実施例と異なるところを説明する。尚、第３の実施例と同一部分には同一符号を付している。即ち、この第４の実施例では、前記透過開口部５７に半透明膜６１を成膜している。前記半透明膜６１は、光透過薄膜１５と同様に金属系材料をスパッタ法により成膜したもので、ＬＥＤ５３が放射する緑色光の一部が透過する光透過特性を有するようにその厚みが設定されている。従って、半透明膜６１も光透過薄膜１５と同様、メタリック系の色調として観察される。
【００５５】
このような構成においても第３の実施例と略同様の作用、効果を得ることができる。特に、透過開口部５７に半透明膜６１を設けたことから、トッププレート７の全体を略同じ色調にすることができ、外観性の向上を図ることができる。
【００５６】
尚、本発明は上記した実施例に限定されるものではなく、例えば次のような変形が可能である。
特定の光透過特性を有する有色ガラス板に光透過薄膜を成膜することによりトッププレートを構成しても良い。この場合は、トッププレートのうち誘導加熱コイル及び表示部に対応する部分にのみ光透過薄膜を成膜しても良い。ラジエントヒータ等の発熱手段は、誘導加熱コイルほど複雑な構造ではないため、光透過薄膜を施さずトッププレートの上方から視認されても外観状の問題は少ない。
【００５７】
また、光透過薄膜や半透明膜はガラス板の上面に成膜されていても良い。更に、２枚のガラス板を重ねてトッププレートを構成すると共に一方のガラス板のうち他方のガラス板との対向面に光透過薄膜や半透明膜を成膜しても良い。このような構成によれば、光透過薄膜等が露出しないため傷付いたり剥がれたりすることを防止できる。
【００５８】
光透過薄膜や半透明膜の材料としてはチタンに限定されるものではなく、金、銅、アルミ等の金属、ＴｉＯ２，ＳｎＯ２，ＩｎＯ２等の金属酸化物、Ｓｉ等の半導体を用いることが可能である。即ち、トッププレートの色や色調、表示部を構成するＬＥＤの発光波長領域に応じて膜材料を選定すると良い。また、光透過薄膜や半透明膜の厚み寸法は、透過させたい発光素子の光波長領域に応じて数十〜数百ミクロン程度に設定可能である。この場合、光透過薄膜や半透明膜の成膜方法としては、スパッタ法の他、真空蒸着法などの物理的製法、スプレー法やディップ法等の化学的製法を用いることができる。
【００５９】
更に、半透明膜は、トッププレートの表面にプラスチック製のシートを貼り付けたり塗料を焼き付けたりすることにより構成しても良い。
図８や図９に示すＬＥＤ５３に代えて光放出手段としての赤外線ＬＥＤを用いても良い。そして、加熱調理器本体の上方部に設けられたレンジフードに赤外線受光素子を配置し、前記赤外線ＬＥＤと前記赤外線受光素子との間で赤外線通信を行わせることができる。この場合、透過開口部５７には赤外線透過特性を有する半透明膜７１が成膜されることになる。
【００６０】
メニュー表示部を構成するＬＥＤ（光放出手段）は、例えば２色発光ＬＥＤとしても良い。このような構成によれば、調理メニューの実行時と中断時とで発光が異なるように構成することができる。
【００６１】
また、光放出手段としてのＬＣＤをタイマー表示用にトッププレートの下方部に配置しても良い。この場合、ＬＣＤをバックライト付きにすると、周囲の明るさに関係なく見やすくなる。
【００６２】
本発明は、誘電加熱コイルのみを備える構成にも適用できる。また、調理台に組み込まれる誘導加熱調理器に限らず、調理台等に載置されて使用される誘導加熱調理器にも適用できる。
【図面の簡単な説明】
【００６３】
【図１】本発明の第１の実施例を示す誘導加熱調理器の全体構成を示す上面図
【図２】誘導加熱調理器の正面図
【図３】トッププレートを取り外して示す誘導加熱調理器の平面図
【図４】ヒータ加熱部の周辺部分を拡大して示す縦断面図
【図５】トッププレートのうち注意表示部が設けられた部分を拡大して示す縦断面図
【図６】本発明の第２の実施例を示す図４相当図
【図７】本発明の第３の実施例を示す誘導加熱調理器のトッププレート部分の上面図
【図８】メニュー表示部を構成する発光ダイオード周辺部分の縦断面図
【図９】本発明の第４の実施例を示す図８相当図
【符号の説明】
【００６４】
図中、１は加熱調理器本体、３，４は誘導加熱コイル、５はラジエントヒータ（発熱手段）、７はトッププレート、１０はヒータ加熱部（放熱開口部）、１１，１２はコイル用出力表示部（発光表示部）、１３はヒータ用出力表示部、１４は注意表示部（印刷表示部）、１５は光透過薄膜、１６は耐熱塗装膜、１７はラップ部、１９は誘導加熱組立（誘導加熱手段）、１９ａは防磁リング、２２，２６はＬＥＤ（発光素子）、２３はベース、５３はＬＥＤ（光放出手段）、５５は遮光部、５７は透過開口部、６１は半透明膜を示す。
【図１】
2008091346.tif 000003
【図２】
2008091346.tif 000004
【図３】
2008091346.tif 000005
【図４】
2008091346.tif 000006
【図５】
2008091346.tif 000007
【図６】
2008091346.tif 000008
【図７】
2008091346.tif 000009
【図８】
2008091346.tif 000010
【図９】
2008091346.tif 000011